(57)【要約】【課題】  移動体通信システムにおいて、接続可能な通信網を制限する機能の不正な解除を防止する。【解決手段】  利用者は、移動端末１０に対し、ＵＩＭロック解除の操作を開始し、ＵＩＭロック解除コードを入力する。移動端末１０の制御部は、入力されたＵＩＭロック解除コード及びＵＩＭロック解除に必要な情報を基に演算を実行し、その演算結果が特定の条件を満たすと判定された場合、移動端末１０は、通信制御装置４０にＵＩＭロック解除要求メッセージを送信する（Ｔ１）。通信制御装置４０は、移動端末１０から送信されたＵＩＭロック解除要求メッセージに含まれる移動端末の端末識別番号（ＩＭＥＩ）を基に、ＵＩＭロック解除の可否を判定し（Ｔ２）、この判定の結果を基に、ＵＩＭロック解除判定応答メッセージを移動端末１０に送信する（Ｔ３）。【選択図】  図４
2006261918.tif 000002
【特許請求の範囲】
【請求項１】
加入者識別モジュールを用いて接続可能な通信網が特定の通信事業者の通信網に制限される機能を有する端末装置と、この端末装置と前記通信網を介して接続される通信制御装置とを有する移動体通信システムであって、
前記端末装置において、前記機能の解除操作が行われた場合、前記機能の解除要求を前記通信制御装置に送信する解除要求手段と、
前記通信制御装置からの判定通知に基づき、前記機能の解除要求が許可された場合、前記機能の解除を実行する解除実行手段とを備え、
前記通信制御装置において、前記機能の解除が許可された端末装置の識別情報を登録する許可登録手段と、
前記端末装置から前記機能の解除要求とともに送信された該端末装置の識別情報、及び前記許可登録手段に登録された端末装置の識別情報を用いて、前記解除要求を行った端末装置が正規に前記機能の解除が許可された端末装置であるか否かを判定する判定手段と、
前記判定の結果を前記端末装置に通知する判定結果通知手段とを備える移動体通信システム。
【請求項２】
請求項１記載の移動体通信システムであって、
前記判定手段による判定の結果に基づき、前記機能の解除が許可されていない端末装置からの前記機能の解除要求である場合、この端末装置の識別情報を前記機能の不正な解除要求を行った端末装置の識別情報として登録する不正登録手段と、
前記不正な解除要求を行った端末装置に対し、前記機能の解除要求を拒否する解除要求拒否手段とを備える移動体通信システム。
【請求項３】
請求項２記載の移動体通信システムであって、
前記不正な機能の解除要求を行った端末装置の識別情報を、前記通信網に接続された他の通信事業者の通信網に通知する不正端末通知手段を備える移動体通信システム。
【請求項４】
請求項２記載の移動体通信システムであって、
前記通信網に接続された他の通信事業者の通信網から、前記不正な機能の解除要求を行った端末装置の識別情報を受信する不正端末受信手段を備え、
前記不正登録手段は、前記受信した端末装置の識別情報を登録する移動体通信システム。
【請求項５】
請求項２から４のいずれかに記載の移動体通信システムであって、
前記判定手段は、前記解除要求を行った端末装置が前記不正登録手段に登録された識別情報を有する端末装置であるか否かを判別し、前記不正登録手段に登録された識別情報を有する端末装置でない場合に、前記許可登録手段に登録された識別情報を有する端末装置であるか否かを判別し、前記許可登録手段に登録された識別情報を有する端末装置である場合には前記正規に機能の解除を許可された端末装置であると判定する移動体通信システム。
【請求項６】
加入者識別モジュールを用いて接続可能な通信網が特定の通信事業者の通信網に制限される機能を有する移動体通信システムの端末装置であって、
前記機能の解除操作を受け付けるか否かを判定する解除操作受付判定手段と、
前記機能の解除操作が受け付けられた場合、前記通信網に接続された通信制御装置に対し、前記機能の解除を要求する解除要求手段と、
前記通信制御装置から通知される前記機能の解除要求に対する判定の結果を受信する判定結果受信手段と、
前記判定の結果に基づき、前記機能の解除要求が許可された場合、前記機能の解除を実行する解除実行手段とを備える端末装置。
【請求項７】
請求項６記載の端末装置であって、
前記判定の結果に基づき、前記機能の解除要求が拒否された場合、前記機能の解除を実行することなく、不正な解除要求である旨を報知する不正解除報知手段を備える端末装置。
【請求項８】
加入者識別モジュールを用いて接続可能な通信網が特定の通信事業者の通信網に制限される機能を有する端末装置と前記通信網を介して接続される移動体通信システムの通信制御装置であって、
前記機能の解除が許可された端末装置の識別情報を登録する許可登録手段と、
前記端末装置から通知される前記機能の解除要求を受信する解除要求受信手段と、
前記端末装置から前記機能の解除要求とともに受信した該端末装置の識別情報、及び前記許可登録手段に登録された端末装置の識別情報を用いて、前記解除要求を行った端末装置が正規に前記機能の解除が許可された端末装置であるか否かを判定する判定手段と、
前記判定の結果を前記端末装置に通知する判定結果通知手段とを備える通信制御装置。
【請求項９】
請求項８記載の通信制御装置であって、
前記判定手段による判定の結果に基づき、前記機能の解除が許可されていない端末装置からの前記機能の解除要求である場合、この端末装置の識別情報を前記機能の不正な解除要求を行った端末装置の識別情報として登録する不正登録手段と、
前記不正な解除要求を行った端末装置に対し、前記機能の解除要求を拒否する解除要求拒否手段とを備える通信制御装置。
【請求項１０】
請求項９記載の通信制御装置であって、
前記不正な機能の解除要求を行った端末装置の識別情報を、前記通信網に接続された他の通信事業者の通信網に通知する不正端末通知手段を備える通信制御装置。
【請求項１１】
請求項９記載の通信制御装置であって、
前記通信網に接続された他の通信事業者の通信網から、前記不正な機能の解除要求を行った端末装置の識別情報を受信する不正端末受信手段を備え、
前記不正登録手段は、前記受信した端末装置の識別情報を登録する通信制御装置。
【請求項１２】
請求項９から１１のいずれかに記載の通信制御装置であって、
前記判定手段は、前記解除要求を行った端末装置が前記不正登録手段に登録された識別情報を有する端末装置であるか否かを判別し、前記不正登録手段に登録された識別情報を有する端末装置でない場合に、前記許可登録手段に登録された識別情報を有する端末装置であるか否かを判別し、前記許可登録手段に登録された識別情報を有する端末装置である場合には前記正規に機能の解除が許可された端末装置であると判定する通信制御装置。
【請求項１３】
加入者識別モジュールを用いて接続可能な通信網が特定の通信事業者の通信網に制限される機能を有する端末装置と、この端末装置と前記通信網を介して接続される通信制御装置とを有する移動体通信システムの機能解除方法であって、
前記端末装置において、前記機能の解除操作が行われた場合、前記機能の解除要求を前記通信制御装置に送信する解除要求ステップと、
前記通信制御装置において、前記機能の解除が許可された端末装置の識別情報を登録する許可登録ステップと、
前記端末装置から前記機能の解除要求とともに送信された該端末装置の識別情報、及び前記許可登録ステップで登録された端末装置の識別情報を用いて、前記解除要求を行った端末装置が正規に前記機能の解除が許可された端末装置であるか否かを判定する判定ステップと、
前記判定の結果を前記端末装置に通知する判定結果通知ステップと、
前記端末装置において、前記通知された判定の結果に基づき、前記機能の解除要求が許可された場合、前記機能の解除を実行する解除実行ステップとを有する機能解除方法。
【請求項１４】
コンピュータに、請求項１から５のいずれかに記載の移動体通信システムの各手段の機能を実現させるためのプログラム。
【請求項１５】
コンピュータに、請求項６または７記載の端末装置の各手段の機能を実現させるためのプログラム。
【請求項１６】
コンピュータに、請求項８から１２のいずれかに記載の通信制御装置の各手段の機能を実現させるためのプログラム。
【発明の詳細な説明】
【技術分野】
【０００１】
本発明は、加入者識別モジュールを用いて端末装置の接続可能な通信網を特定の通信事業者の通信網に制限する移動体通信システム、端末装置、通信制御装置及びその移動体通信システムの機能解除方法に関する。
【背景技術】
【０００２】
デジタル携帯電話に用いられる無線通信方式であるＧＳＭ（Global System for Mobile Communications）やＷＣＤＭＡ（Wideband Code Division Multiple Access）では、加入者識別モジュールを用いる方式に準拠した移動端末が使用される。加入者識別モジュールとしては、ＧＳＭ用にはＳＩＭ（Subscriber Identity Module）、ＷＣＤＭＡ用にはＵＳＩＭ（Universal Subscriber Identity Module）が用いられる。このような移動端末を対象としてサービスを提供する通信事業者は、加入者識別モジュールによって端末利用者と回線のみ提供する事業形態に加え、自らが販売する移動端末に対し、接続網を限定するためのＵＩＭ（User Identity Module）ロックを施し、加入者端末が特定の事業者網のみ接続可能となるように制限を加え、ＵＩＭロックによる接続制限を設けない場合と比較して低廉な価格で加入者に移動端末を提供する事業形態も採用している。
【０００３】
従来、加入識別モジュールの認証を行う移動体通信システムが知られている（特許文献１参照）。この移動体通信システムでは、通信システムは、定期的に、現在システムを使用することが許可されている移動機に対し、自身の正当性を証明することを要請するチャレンジインテロゲーションメッセージを送る。移動機は、通信システムと移動機のＵＳＩＭによってのみ知られている情報に基づいて認証応答を計算し、この認証応答を通信システムに送る。通信システムも独自に認証応答を計算し、移動機から受信した認証応答と比較する。これら２つの認証応答が等しい場合、移動機は本物であると確認され、等しくない場合、通信システムへのアクセスが認められない。
【０００４】
また、加入者識別モジュールの無断使用を防止する移動体通信システムが知られている（特許文献２参照）。この移動体通信システムでは、加入者のパーソナル識別番号（ＰＩＮ）を移動装置のユーザに要求し、ユーザが入力したパーソナル識別番号の有効性をチェックする。ユーザが有効なパーソナル識別番号を入力しなかった場合、これらの段階を繰り返し、識別番号の要求及びチェックの回数が所定のスレッシュホールド値を越えたとき、移動装置をブロックする。
【０００５】
また、無線端末に挿入されるＳＩＭカードから読み取られた第１情報、及び読取装置を介してスマートカードから読み取られた第２情報が正しい場合、スマートカード及びＳＩＭカードを併用する動作を実行可能である無線端末も知られている（特許文献３参照）。
【０００６】
【特許文献１】特開２００２−８４２７６号公報
【特許文献２】特開平９−１８２１５４号公報
【特許文献３】特開２００２−４２０６６号公報
【発明の開示】
【発明が解決しようとする課題】
【０００７】
上記のような従来の移動体通信システムでは、通信事業者によって移動端末に施された既存のＵＩＭロックを解除する手続きは、移動端末内の記憶装置に書き込まれた情報を用い、移動端末内部の閉じた手続きとして実行される。このため、通信事業者が移動端末内部の不正な解除手続きを直接的に検知することは不可能であった。
【０００８】
特に、近年では、通信事業者の了承を得ることなく不正にＵＩＭロックを解除する事例が増加している。ＵＩＭロックが不正に解除された移動端末は、サービス料金体系の異なる他の通信事業者の加入者識別モジュール（ＳＩＭ／ＵＳＩＭカード）が挿入されると、他の通信事業者網にも接続可能となる。したがって、本来、ＵＩＭロックによって移動端末の接続網を限定している通信事業者が加入者から課金収入を得られなくなるという事態が発生している。
【０００９】
本発明は、上記事情に鑑みてなされたもので、加入者識別モジュールを用いて接続可能な通信網が特定の通信事業者の通信網に制限される機能の不正な解除手続きを、通信事業者が直接的に検知することができ、不正な利用を防止することができる移動体通信システム、端末装置、通信制御装置及び機能解除方法を提供することを目的とする。
【課題を解決するための手段】
【００１０】
本発明の移動体通信システムは、加入者識別モジュールを用いて接続可能な通信網が特定の通信事業者の通信網に制限される機能を有する端末装置と、この端末装置と前記通信網を介して接続される通信制御装置とを有する移動体通信システムであって、前記端末装置において、前記機能の解除操作が行われた場合、前記機能の解除要求を前記通信制御装置に送信する解除要求手段と、前記通信制御装置からの判定通知に基づき、前記機能の解除要求が許可された場合、前記機能の解除を実行する解除実行手段とを備え、前記通信制御装置において、前記機能の解除が許可された端末装置の識別情報を登録する許可登録手段と、前記端末装置から前記機能の解除要求とともに送信された該端末装置の識別情報、及び前記許可登録手段に登録された端末装置の識別情報を用いて、前記解除要求を行った端末装置が正規に前記機能の解除が許可された端末装置であるか否かを判定する判定手段と、前記判定の結果を前記端末装置に通知する判定結果通知手段とを備えるものである。
これにより、加入者識別モジュールを用いて接続可能な通信網が特定の通信事業者の通信網に制限される機能の不正な解除手続き（不正なＵＩＭロック解除等）を、通信事業者が直接的に検知することができるので、不正な機能解除を防止し、不正な利用を防止することが可能となる。
【００１１】
また、本発明は、上記の移動体通信システムであって、前記判定手段による判定の結果に基づき、前記機能の解除が許可されていない端末装置からの前記機能の解除要求である場合、この端末装置の識別情報を前記機能の不正な解除要求を行った端末装置の識別情報として登録する不正登録手段と、前記不正な解除要求を行った端末装置に対し、前記機能の解除要求を拒否する解除要求拒否手段とを備えるものとする。
これにより、次回、同一の端末装置が不正な機能の解除要求を行った場合、即座にその解除要求を拒否することが可能となる。
【００１２】
また、本発明は、上記の移動体通信システムであって、前記不正な機能の解除要求を行った端末装置の識別情報を、前記通信網に接続された他の通信事業者の通信網に通知する不正端末通知手段を備えるものとする。
これにより、不正な機能の解除要求を行った端末装置に関する情報を、他の通信事業者と共有することが可能となる。
【００１３】
また、本発明は、上記の移動体通信システムであって、前記通信網に接続された他の通信事業者の通信網から、前記不正な機能の解除要求を行った端末装置の識別情報を受信する不正端末受信手段を備え、前記不正登録手段は、前記受信した端末装置の識別情報を登録するものとする。
これにより、不正な解除要求を行った端末装置に関する情報を、他の通信事業者と共有することが可能となる。
【００１４】
また、本発明は、上記の移動体通信システムであって、前記判定手段は、前記解除要求を行った端末装置が前記不正登録手段に登録された識別情報を有する端末装置であるか否かを判別し、前記不正登録手段に登録された識別情報を有する端末装置でない場合に、前記許可登録手段に登録された識別情報を有する端末装置であるか否かを判別し、前記許可登録手段に登録された識別情報を有する端末装置である場合には前記正規に機能の解除を許可された端末装置であると判定するものとする。
これにより、不正な機能の解除を要求する端末装置を確実に排除することが可能となる。
【００１５】
本発明の端末装置は、加入者識別モジュールを用いて接続可能な通信網が特定の通信事業者の通信網に制限される機能を有する移動体通信システムの端末装置であって、前記機能の解除操作を受け付けるか否かを判定する解除操作受付判定手段と、前記機能の解除操作が受け付けられた場合、前記通信網に接続された通信制御装置に対し、前記機能の解除を要求する解除要求手段と、前記通信制御装置から通知される前記機能の解除要求に対する判定の結果を受信する判定結果受信手段と、前記判定の結果に基づき、前記機能の解除要求が許可された場合、前記機能の解除を実行する解除実行手段とを備えるものである。
これにより、加入者識別モジュールを用いて接続可能な通信網が特定の通信事業者の通信網に制限される機能の不正な解除手続き（不正なＵＩＭロック解除等）があった場合に、端末装置内部の処理によって、不正な機能が解除されることを防止し、不正な利用を防止することが可能となる。
【００１６】
また、本発明は、上記の端末装置であって、前記判定の結果に基づき、前記機能の解除要求が拒否された場合、前記機能の解除を実行することなく、不正な解除要求である旨を報知する不正解除報知手段を備えるものとする。
これにより、不正な解除要求であることを、利用者に認識させることができる。
【００１７】
本発明の通信制御装置は、加入者識別モジュールを用いて接続可能な通信網が特定の通信事業者の通信網に制限される機能を有する端末装置と前記通信網を介して接続される移動体通信システムの通信制御装置であって、前記機能の解除が許可された端末装置の識別情報を登録する許可登録手段と、前記端末装置から通知される前記機能の解除要求を受信する解除要求受信手段と、前記端末装置から前記機能の解除要求とともに受信した該端末装置の識別情報、及び前記許可登録手段に登録された端末装置の識別情報を用いて、前記解除要求を行った端末装置が正規に前記機能の解除が許可された端末装置であるか否かを判定する判定手段と、前記判定の結果を前記端末装置に通知する判定結果通知手段とを備えるものである。
これにより、加入者識別モジュールを用いて接続可能な通信網が特定の通信事業者の通信網に制限される機能の不正な解除手続き（不正なＵＩＭロック解除等）を、通信事業者が直接的に検知することができるので、不正な機能解除を防止し、不正な利用を防止することが可能となる。
【００１８】
また、本発明は、上記の通信制御装置であって、前記判定手段による判定の結果に基づき、前記機能の解除が許可されていない端末装置からの前記機能の解除要求である場合、この端末装置の識別情報を前記機能の不正な解除要求を行った端末装置の識別情報として登録する不正登録手段と、前記不正な解除要求を行った端末装置に対し、前記機能の解除要求を拒否する解除要求拒否手段とを備えるものとする。
これにより、次回、同一の端末装置が不正な機能の解除要求を行った場合、即座にその解除要求を拒否することが可能となる。
【００１９】
また、本発明は、上記の通信制御装置であって、前記不正な機能の解除要求を行った端末装置の識別情報を、前記通信網に接続された他の通信事業者の通信網に通知する不正端末通知手段を備えるものとする。
これにより、不正な機能の解除要求を行った端末装置に関する情報を、他の通信事業者と共有することが可能となる。
【００２０】
また、本発明は、上記の通信制御装置であって、前記通信網に接続された他の通信事業者の通信網から、前記不正な機能の解除要求を行った端末装置の識別情報を受信する不正端末受信手段を備え、前記不正登録手段は、前記受信した端末装置の識別情報を登録するものとする。
これにより、不正な解除要求を行った端末装置に関する情報を、他の通信事業者と共有することが可能となる。
【００２１】
また、本発明は、上記の通信制御装置であって、前記判定手段は、前記解除要求を行った端末装置が前記不正登録手段に登録された識別情報を有する端末装置であるか否かを判別し、前記不正登録手段に登録された識別情報を有する端末装置でない場合に、前記許可登録手段に登録された識別情報を有する端末装置であるか否かを判別し、前記許可登録手段に登録された識別情報を有する端末装置である場合には前記正規に機能の解除が許可された端末装置であると判定するものとする。
これにより、不正な機能の解除を要求する端末装置を確実に排除することが可能となる。
【００２２】
本発明の移動体通信システムの機能解除方法は、加入者識別モジュールを用いて接続可能な通信網が特定の通信事業者の通信網に制限される機能を有する端末装置と、この端末装置と前記通信網を介して接続される通信制御装置とを有する移動体通信システムの機能解除方法であって、前記端末装置において、前記機能の解除操作が行われた場合、前記機能の解除要求を前記通信制御装置に送信する解除要求ステップと、前記通信制御装置において、前記機能の解除が許可された端末装置の識別情報を登録する許可登録ステップと、前記端末装置から前記機能の解除要求とともに送信された該端末装置の識別情報、及び前記許可登録ステップで登録された端末装置の識別情報を用いて、前記解除要求を行った端末装置が正規に前記機能の解除が許可された端末装置であるか否かを判定する判定ステップと、前記判定の結果を前記端末装置に通知する判定結果通知ステップと、前記端末装置において、前記通知された判定の結果に基づき、前記機能の解除要求が許可された場合、前記機能の解除を実行する解除実行ステップとを有するものである。
【００２３】
また、本発明は、コンピュータに、上記いずれかに記載の移動体通信システムの各手段の機能を実現させるためのプログラムを提供する。
【００２４】
また、本発明は、コンピュータに、上記いずれかに記載の端末装置の各手段の機能を実現させるためのプログラムを提供する。
【００２５】
また、本発明は、コンピュータに、上記いずれかに記載の通信制御装置の各手段の機能を実現させるためのプログラムを提供する。
【発明の効果】
【００２６】
本発明によれば、加入者識別モジュールを用いて接続可能な通信網が特定の通信事業者の通信網に制限される機能の不正な解除手続きを、通信事業者が直接的に検知することができ、不正な利用を防止することが可能な移動体通信システム、端末装置、通信制御装置及び機能解除方法を提供できる。
【発明を実施するための最良の形態】
【００２７】
本実施形態の移動体通信システムでは、通信事業者によって付加され、接続可能な通信網が当該通信事業者の通信網に制限される機能を有する加入者識別モジュールであるＵＳＩＭカードを搭載する携帯端末（移動端末）である端末装置が用いられる。ＵＳＩＭカードには、加入者情報を記録するメモリＩＣが内蔵されている。
【００２８】
図１は本発明の実施形態における移動体通信システムの概略的構成を示す図である。この移動体通信システムは、前述したＵＳＩＭカードを搭載する複数の移動端末１０、この移動端末１０との間で無線通信を行う無線アクセスポイント２０、種々のサービスを提供する通信事業者の通信事業者網３０、この通信事業者網３０に接続された通信制御装置４０、通信事業者網３０に接続された他の通信事業者網５０、この他の通信事業者網５０に接続された他の通信制御装置６０等を有して構成される。
【００２９】
図２は本実施形態の移動端末１０の構成を示す図である。移動端末１０は、本体部７１及びこの本体部７１のスロット（図示せず）に着脱自在に装着されるＵＳＩＭカード８５を有して構成される。本体部７１には、制御部７２、及びこの制御部７２に接続される無線通信部７３、内部メモリ７４、音声処理部７５、画像処理部７６及びキー操作部７８が設けられている。無線通信部７３には、アンテナ７９が接続されている。音声処理部７５には、スピーカ８０及びマイク８１が接続されている。画像処理部７６には、表示部７７が接続されている。
【００３０】
制御部７２は、バスを介して接続されるプロセッサ（ＣＰＵ）、ＲＯＭ、ＲＡＭ等を有して構成され、ＲＯＭに格納された各種制御プログラムの実行にしたがって、内部メモリ７４や無線通信部７３との間でデータの送受信を行ったり、各部を制御し、また、ＵＳＩＭカード８５との間で情報の書き込みや読み出しを行う。この制御部７２は、解除要求手段、解除実行手段、解除操作受付判定手段、判定結果受信手段、不正解除報知手段の機能を有する。内部メモリ７４には、制御部７２で実行される制御プログラムやデータが格納される。また、この内部メモリ７４には、情報提供サイトなどからダウンロードした画像、音楽、プログラム等のコンテンツデータが記憶される。無線通信部７３は、制御部７２によって制御され、アンテナ７９を介して無線アクセスポイント２０と無線通信を行う。音声処理部７５はマイク８１から入力された音声信号を符号化して制御部７２に送出し、また、無線通信部７３で受信した音声信号を復号化してスピーカ８０から出力する。画像処理部７６は、無線通信部７３で受信した画像データや、内部メモリ７４に記憶された画像データを処理して表示部７７に出力する。キー操作部７８は、各種キーを有し、電話の発信や着信の他、表示部７７に表示される情報のスクロールや選択等を行う。
【００３１】
一方、ＵＳＩＭカード８５は、内蔵ＩＣとして実現された、制御部８６及びメモリ（不揮発性メモリ）８７を有して構成されている。メモリ８７には、通信事業者から発行され、移動端末１０を利用する利用者に関する情報（加入者識別情報）や、ＵＩＭロック解除に必要な情報等が記憶されている。このＵＳＩＭカード８５を本体部７１のスロットに装着することにより、制御部８６によってメモリ８７へのデータの読み出し及び書き込みが行われ、制御部７２及び制御部８６間の情報（データ）の送受信によって、移動端末１０は所定の契約内容で使用可能となる。
【００３２】
図３は本実施形態の通信制御装置４０の構成を示す図である。通信制御装置４０は、汎用の情報処理装置を有して構成されており、各種処理を行うプロセッサ（ＣＰＵ）１０１、ＲＯＭ１０２、ＲＡＭ１０３、ネットワークＩ／Ｆコントローラ（ＮＩＣ）１０９、ストレージメモリ１１０、ディスプレイＩ／Ｆ１０４、Ｉ／Ｏインタフェース１０６等がバス１０８を介して接続された構成となっている。ディスプレイＩ／Ｆ１０４には、ディスプレイ１０５が接続され、Ｉ／Ｏインタフェース１０６には、操作部１０７が接続される。ネットワークＩ／Ｆコントローラ（ＮＩＣ）１０９は、通信制御装置４０及び通信事業者網３０間の接続を制御する。ストレージメモリ１１０は、ハードディスク等の大容量の記憶媒体を有する。ＣＰＵ１０１は、ストレージメモリ１１０に格納された各種の制御プログラムを一旦ＲＡＭ１０３にロードした後、これら各種の制御ブログラムを実行する。このＣＰＵ１０１は、判定手段、判定結果通知手段、解除要求拒否手段、不正端末通知手段、不正端末受信手段の機能を有する。
【００３３】
また、バス１０８には、許可リストメモリ１１１及びブラックリストメモリ１１２が接続されている。許可リストメモリ１１１は、許可登録手段の機能を有するもので、後述するように、通信事業者が予めＵＩＭロック解除を許容する移動端末の端末識別番号がリストとして記憶されている。一方、ブラックリストメモリ１１２は、不正登録手段の機能を有するもので、後述するように、不正にＵＩＭロックが解除された実績のある移動端末の端末識別番号がリストして記憶されている。
【００３４】
上記のように構成された移動体通信システムにおけるＵＩＭロックの解除処理を示す。  図４は本実施形態の移動体通信システムにおけるＵＩＭロック解除処理の流れを示すシーケンス図である。始めに、利用者は移動端末に対し、キー入力等によってＵＩＭロック解除の操作を開始し、キー操作部７８を介してＵＩＭロック解除コードを入力する。移動端末１０内の制御部７２は、入力されたＵＩＭロック解除コード、及び端末内部のメモリ８７に格納された、ＵＩＭロック解除に必要な情報を基に、特定の暗号解除アルゴリズムに従って演算を実行する。従来では、通常のＵＩＭロック解除の手続きでは、この演算結果が特定の条件を満たすと判定された場合、それだけでＵＩＭロックが解除されていた。
【００３５】
本実施形態のＵＩＭロック解除の手続きでは、上記演算結果が特定の条件を満たすと判定された場合、その次の手順として、移動端末１０は、通信事業者網３０を経由して通信制御装置４０に、移動端末１０のロック解除の可否を問い合わせるためのＵＩＭロック解除要求メッセージを送信する（Ｔ１）。このＵＩＭロック解除要求メッセージには、利用者によって入力されたＵＩＭロック解除コード、及び移動端末１０の端末識別番号（ＩＭＥＩ：International Mobile Equipment Identity）が含まれている。
【００３６】
一方、通信制御装置４０は、通信事業者が予めＵＩＭロック解除を許容する移動端末の端末識別番号（ＩＭＥＩ）のリスト（以下、許可リストという）、及び他の通信事業者網５０から受信した、不正にＵＩＭロックが解除された実績のある移動端末の端末識別番号（ＩＭＥＩ）のリスト（以下、ブラックリストという）を管理している。この許可リストには、ＵＩＭロック解除が容認された移動端末の端末識別番号（ＩＭＥＩ）が登録されている。通信制御装置４０は、後述するように、移動端末１０から送信されたＵＩＭロック解除要求メッセージに含まれる移動端末の端末識別番号（ＩＭＥＩ）を基に、ＵＩＭロック解除の可否を判定し（Ｔ２）、この判定の結果を基に、ＵＩＭロック解除判定応答メッセージを移動端末１０に送信する（Ｔ３）。
【００３７】
また、通信制御装置４０は、他の通信事業者網５０に接続された他の通信制御装置６０からブラックリストを受信する（Ｔ４）ことによって、他の通信制御装置６０との間でブラックリストを定期的に交換し、ブラックリストの情報を更新する。そして、自身の通信事業者網でＵＩＭロックの不正解除が検出された場合、直ちにこの移動端末の端末識別番号（ＩＭＥＩ）をブラックリストに登録すると同時に、他の通信事業者網５０に接続された他の通信制御装置６０にも通知する（Ｔ５）。
【００３８】
図５は本実施形態の通信制御装置４０におけるＵＩＭロック解除処理手順を示すフローチャートである。この処理ブログラムは、ストレージメモリ１１０に格納されており、ＣＰＵ１０１によって一旦ＲＡＭ１０３にロードされた後、所定周期毎に実行される。まず、ＮＩＣ１０９を介して移動端末１０からＵＩＭロック解除要求メッセージを受信したか否かを判別する（ステップＳ１）。ＵＩＭロック解除要求メッセージを受信していない場合、そのまま本処理を終了する。一方、ＵＩＭロック解除要求メッセージを受信した場合、受信したＵＩＭロック解除要求メッセージに含まれる移動端末の端末識別番号（ＩＭＥＩ）を解析し（ステップＳ２）、解析された端末識別番号（ＩＭＥＩ）と、ブラックリスト中の端末識別番号（ＩＭＥＩ）とを照合し、ブラックリストに登録されているか否かを判別する（ステップＳ３）。
【００３９】
照合の結果、移動端末１０の端末識別番号（ＩＭＥＩ）がブラックリストに登録されている場合、通信制御装置４０は、この要求を不正なＵＩＭロック解除要求である判定し、移動端末１０にＵＩＭロック解除要求を拒否する旨のメッセージを応答する（ステップＳ６）。この後、本処理を終了する。一方、移動端末１０の端末識別番号（ＩＭＥＩ）がブラックリストに含まれるいずれの端末識別番号（ＩＭＥＩ）とも一致しない場合、通信制御装置４０は、許可リスト中の各端末識別番号（ＩＭＥＩ）と移動端末１０の端末識別番号（ＩＭＥＩ）とを照合し、移動端末１０の端末識別番号が許可リストに登録されているか否かを判別する（ステップＳ４）。照合の結果、移動端末１０の端末識別番号（ＩＭＥＩ）が許可リスト中の端末識別番号（ＩＭＥＩ）と一致する場合、通信制御装置４０は、移動端末１０が正規の手続きを経てＵＩＭロック解除を要求しているものと判定し、移動端末１０にＵＩＭロック解除を許可する旨のメッセージを返信する（ステップＳ５）。この後、本処理を終了する。
【００４０】
一方、ステップＳ４で移動端末１０の端末識別番号（ＩＭＥＩ）が許可リスト中の端末識別番号（ＩＭＥＩ）のいずれとも一致しなかった場合、通信制御装置４０は、移動端末１０の利用者が不正な手続きを経てＵＩＭロックを解除しようとしているものと判定し、この移動端末１０の端末識別番号（ＩＭＥＩ）をブラックリストに登録し（ステップＳ７）、その後、ステップＳ６で、このＵＩＭロック解除の要求を拒否する旨のメッセージを移動端末１０に返信する。この後、本処理を終了する。なお、前述したように、通信制御装置４０は、不正解除手続きを検知すると、処理Ｔ５において、この移動端末の端末識別番号（ＩＭＥＩ）を、定期的にあるいは不正解除手続きを検出したステップＳ７の処理中に、他の通信事業者の他の通信制御装置６０に通知することが可能である。
【００４１】
図６は本実施形態の移動端末１０におけるＵＩＭロック解除処理手順を示すフローチャートである。この処理プログラムは制御部７２内のＲＯＭ（図示せず）に格納されており、制御部７２内のＣＰＵ（図示せず）によって所定周期毎に実行される。まず、利用者によってキー操作部７８を介してＵＩＭロック解除の操作開始が指示されたか否かを判別する（ステップＳ２１）。操作開始が指示されていない場合、そのまま本処理を終了する。
【００４２】
一方、ＵＩＭロック解除の操作開始が指示された場合、キー操作部７８を介して利用者からのＵＩＭロック解除コードの入力を受け付ける（ステップＳ２２）。制御部７２は、ＵＳＩＭカード８５内の制御部８６とデータの送受信を行い、入力されたＵＩＭロック解除コード、及びＵＳＩＭカード８５内のメモリ８７に格納された特定の情報を基に、特定の暗号解除アルゴリズムにしたがって、演算を実行する（ステップＳ２３）。そして、この演算結果が予め決められた特定の条件を満足するか否かを判別する（ステップＳ２４）。特定の条件を満足しない場合、そのまま本処理を終了する。一方、演算結果が特定の条件を満足する場合、ＵＩＭロック解除要求メッセージを、無線通信部７３及びアンテナ７９を介して通信制御装置４０に送信する（ステップＳ２５）。
【００４３】
この後、通信制御装置４０からＵＩＭロック解除判定応答メッセージを受信するまで待機する（ステップＳ２６）。ＵＩＭロック解除判定応答メッセージを受信すると、その判定の結果、ＵＩＭロック解除要求が許容されたか否かを判別する（ステップＳ２７）。ＵＩＭロック解除要求が許容された場合、ＵＩＭロック解除を実行し（ステップＳ２８）、本処理を終了する。一方、ＵＩＭロック解除が不許可である場合、表示部７２に不正なＵＩＭロック解除である旨を表示し（ステップＳ２９）、本処理を終了する。
【００４４】
このように、本実施形態の移動体通信システムによれば、ＵＩＭロック解除の手続きに、必ず通信事業者網３０の通信制御装置４０が介在するので、通信事業者側では、通信制御装置４０においてＵＩＭロックを不正に解除しようとする移動端末１０を検知することができる。これにより、ＵＩＭロックの不正な解除、及び移動端末の不正使用等を防止することができる。
【００４５】
なお、本発明は、上記実施形態の構成に限られるものではなく、種々の変形実施が可能である。
【００４６】
例えば、通信制御装置は、移動端末毎に、不正なＵＩＭロックの解除要求を行った回数を計数しておき、所定回数に達した場合、ＵＩＭロックの解除が行えなくなったり、ペナルティを課すようにしてもよい。また、上記実施形態では、通信制御装置が許可リスト及びブラックリストを蓄積していたが、通信制御装置とは別体のデータベース装置を通信事業者網に接続しておき、通信制御装置がいつでも参照できるようにしてもよい。
【００４７】
また、端末装置（移動端末）の方式としては、ＶＧＳ（登録商標）（Vodafone Global Standard）等の移動体通信サービスにおけるＧＳＭ（Global System for Mobile Communication）方式、ＷＣＤＭＡ（Wideband Code Division Multiple Access）方式等の移動体通信システムに用いられる端末装置であれば、加入者識別モジュール（例えば、ＵＳＩＭカード）が搭載可能な方式に対応可能なものである限り、特に限定されない。また、端末装置としては、携帯電話機や情報通信端末等が挙げられ、通信機能を有していれば特に限定されない。
【００４８】
また、移動端末や通信制御装置内のＣＰＵによって実行される上記制御プログラムは、プログラムコードを記録した記憶媒体を、移動端末や通信制御装置に供給することによって読み出されるようにしてもよい。この場合、プログラムコードを供給するための記憶媒体としては、例えば、ハードディスク、不揮発性のメモリカード、ＲＯＭ等が用いられる。また、プログラムコードはネットワークや機器を介してダウンロードされるようにしてもよい。
【産業上の利用可能性】
【００４９】
本発明は、加入者識別モジュールを用いて接続可能な通信網が特定の通信事業者の通信網に制限される機能の不正な解除手続きを、通信事業者が直接的に検知することができ、不正な利用を防止することが可能となる効果を有し、加入者識別モジュールを用いて端末装置の接続可能な通信網を特定の通信事業者の通信網に制限する移動体通信システム、端末装置、通信制御装置及びその移動体通信システムの機能解除方法等に有用である。
【図面の簡単な説明】
【００５０】
【図１】本発明の実施形態における移動体通信システムの概略的構成を示す図
【図２】本実施形態の移動端末の構成を示す図
【図３】本実施形態の通信制御装置の構成を示す図
【図４】本実施形態の移動体通信システムにおけるＵＩＭロック解除処理の流れを示すシーケンス図
【図５】本実施形態の通信制御装置におけるＵＩＭロック解除処理手順を示すフローチャート
【図６】本実施形態の移動端末におけるＵＩＭロック解除処理手順を示すフローチャート
【符号の説明】
【００５１】
１０  移動端末
３０  通信事業者網
４０  通信制御装置
７２  制御部
７３  無線通信部
８５  ＵＳＩＭカード
８６  制御部
８７  メモリ
１０１  ＣＰＵ
１０２  ＲＯＭ
１０３  ＲＡＭ
１１１  許可リストメモリ
１１２  ブラックリストメモリ
【図１】
2006261918.tif 000003
【図２】
2006261918.tif 000004
【図３】
2006261918.tif 000005
【図４】
2006261918.tif 000006
【図５】
2006261918.tif 000007
【図６】
2006261918.tif 000008